(57)【要約】      （修正有）【課題】確実にマッサージ装置のパーツを、決まった位置で単独に駆動回転、あるいは、移動式でマッサージを行うという二重のマッサージ効果を持つ方向転換コントロールによるマッサージ装置の二方向駆動選択構造を提供する。【解決手段】中間に鎖軸３２があり、後方に連なる循環チェーンユニット４を動かしてマッサージ装置のパーツに回転動作を行わせる主動ギアユニット３と、上部に伝動ギア６１が接続して、その後方にある二方向ボルト７がマッサージ装置を往復移動させる従動ギアユニット６からなる。主動ギアユニットは、下部に伝動ギア盤３３があり、従動ギアユニット下部の受動ギア盤６２とかみ合って、循環チェーンユニットと二方向ボルトの同一駆動動力源を形成する。【選択図】    図２
2005000184.tif 000002
【特許請求の範囲】
【請求項１】
中間に、回転方向をコントロールする構造があり、マッサージ用ベッドやマッサージ用椅子に応用し、中間に鎖軸があり、後方に循環チェーンユニットが接続されて、マッサージ装置のマッサージパーツを回転させる主動ギアユニット、及び、上部に伝動ギアがあって、その後方にある二方向ボルトを動かして、マッサージ装置を往復移動させる従動ギアユニットから構成され、
主動ギアユニットは、上部が動力源を受けて駆動する動力ギアがあり、下部に伝動ギア盤があって、従動ギアユニット下部にあるそれに対応する受動ギア盤とかみ合うようになっていて、循環チェーンユニット及び二方向ボルトの駆動動力源を形成して、動力源が正あるいは反回転する時、全て反対方向に定軸回転し、
主動ギアユニットの中間にある鎖軸及び従動ギアユニットの上部にある伝動ギアは、それぞれ、両者を正、反方向させる単方向軸受けが単一方向に回転するように設計してあることにより、それぞれ、その中心伝動軸に停滞するようになっていて、主動ギアユニットが動かされて、正回転あるいは反回転する時、全て循環チェーンユニットを動かして、マッサージ装置のマッサージパーツを回転、あるいは、空転状態にし、同様に、この時、二方向ボルトが空転し、マッサージ装置を決まった位置で停滞させ、あるいは、駆動させ、二方向ボルトがマッサージ装置を往復移動させて、駆動回転方向を選択することができ、マッサージ装置のマッサージパーツをコントロールして、決まった位置で単独で駆動、作動、あるいは、移動式指圧の二重駆動回転効果が得られるという特長を持つ、方向転換コントロールによるマッサージ装置の二方向駆動選択構造。
【請求項２】
主動ギアユニット下部の伝動ギアがかみ合うことで伝動を受けた従動ギアユニットが、主導性の主動ギアユニットに変更していて、上部動力ギアと主動ギアユニットの上部動力ギアが離脱した状態を形成していて、伝動ギアを設置する必要がなく、同時に、動力源の動力伝道を受けて、下部の伝動ギアによって後方の二方向ボルトを動かし、マッサージ装置を動かして往復移動させて、循環チェーンユニットと二方向ボルトが、それぞれ、独立して回転し、主動ギアユニットは鎖軸の上の単方向軸受けが正、反方向が単方向軸受けが単一方向回転するという設定がしてあることにより、中心伝動軸に停滞させて、駆動回転方向の選択ができ、マッサージ装置のマッサージパーツをコントロールして、定点で単独で駆動回転、作動、移動式指圧の二重駆動回転効果が得られるという特長を持つ、方向転換コントロールによるマッサージ装置の二方向駆動選択構造。
【発明の詳細な説明】
【０００１】
【発明の属する技術分野】
本発明は方向転換コントロールによるマッサージ装置の二方向駆動選択構造に関する。本発明の方向転換コントロールによるマッサージ装置の二方向駆動選択構造は、マッサージ用ベッドやマッサージ用椅子において、二方向ボルト及び循環チェーンユニットを利用して、マッサージ装置を往復移動させて揉みの動作を行い、決まった位置で回転する二種類の駆動力制御を提供して、同一の主動力源によって、同時に主動ギアユニット及び従動ギアユニットを動かし、主動ギアユニットの中間にある鎖軸及び従動ギアユニットの上部にある伝動ギアを、それぞれ両者を正、反方向させる単方向軸受けが単一方向に回転するように設計してあることにより、主動ギアユニットが正回転あるいは反回転する時、全て循環チェーンユニットがマッサージ装置のパーツを動かして回転動作あるいは空転をする。そして、この時二方向ボルトが空転することで、マッサージ装置が定点で停滞、あるいは、駆動し、二方向ボルトがマッサージ装置を往復移動させる。このように、駆動源が回転する方向を選択することで、マッサージ装置のパーツをコントロールして、決まった位置で単独に駆動回転、作動するといった理想的な駆動効果、あるいは、単独で二方向ボルトを動かして移動式の回転マッサージが可能であるという特長を持つ。
【０００２】
【従来の技術及び課題】
従来のマッサージ装置の駆動構造は、大部分が駆動動力を利用して、それに別の従動ギアあるいは従動ギア盤等を取り付けて、異なった歯の数あるいは外径の比率を調整することによって、同時進行する駆動の後部部分が異なったツイストあるいは回転速度をすることで制御している。あるいは、単方向のギアを追加して、従動ギアあるいは従動ギア盤が、主駆動盤が反対方向に回転する時に空回りする状態（回転停滞）を形成する。しかしながら、実際上は、多くの構造設計と実際の運用時において、従動盤が特定あるいは使用者が選定する時間（あるいは位置）において、停滞して回転しない機能を要求するので、それぞれを動かす動力源（あるいはモーター）及び双軸回転の複雑駆動構造と電気回路制御が必要になる。したがって、製造コストが増加すると同時に、組み立ての際に空間を取るといった欠陥が生じる。
故に、本発明の出願人（発明者と同人）は、別の前案特許を提出した。その内容は以下の通りである。モーターＭの駆動によって、同時に駆動する主動ギア２１と従動ギア２２は、同時に二方向ボルト２３に連動していて、マッサージ装置２４を動かして往復移動させてマッサージ動作を行う。そして、循環チェーン装置２５がマッサージ装置２４のマッサージパーツ２４１を動かして、回転運動を行い、単一駆動源（モーターＭ）でも十分効果を発揮するようになっている。しかしながら、回転方向を制御するクラッチ構造２６が複雑で故障しやすく、マッサージ装置２４が二方向ボルト２３に動かされて往復移動して揉みに入る時、循環チェーン装置２５が動かすマッサージ装置２４のマッサージパーツ２４１が同時に回転し、二つの駆動パーツ（二方向ボルト２３、循環チェーン装置２５）の反対方向作用の影響で、両側のマッサージパーツ２４１が強弱、速度が異なる等の現象が生じて、使用者が充分満足行く効果が得られない。さらに、パーツがからんで故障するという状況も発生しやすい。
【０００３】
【課題を解決するための手段】
本発明の方向転換コントロールによるマッサージ装置の二方向駆動選択構造は、中間に鎖軸があり、後方に連なる循環チェーンユニットを動かしてマッサージ装置のパーツに回転動作を行わせる主動ギアユニットと、上部に伝動ギアが接続して、その後方にある二方向ボルトがマッサージ装置を往復移動させる従動ギアユニットからなる。主動ギアユニットは、下部に伝動ギア盤があり、従動ギアユニット下部の受動ギア盤とかみ合って、循環チェーンユニットと二方向ボルトの同一駆動動力源を形成する。主動ギアユニットの中間にある鎖軸と従動ギアユニット上部の伝動ギアは、それぞれ、両者を正、反方向させる単方向軸受けが単一方向に回転するように設計してあることにより、別々に、その中心伝動軸にとどまる。したがって、主動ギアユニットが駆動によって正回転あるいは反回転する時、全て循環チェーンユニットがマッサージ装置のパーツを動かして回転動作あるいは空転をする。そして、この時二方向ボルトが空転することで、マッサージ装置が定点で停滞、あるいは、二方向ボルトを動かしてマッサージ装置を往復移動させる。この時、循環チェーンユニットが空転して、マッサージ装置のパーツの回転を停止し、主動ギア盤の正、反回転の方向をコントロールして、確実にマッサージ装置のパーツを、決まった位置で単独に駆動回転、あるいは、移動式でマッサージを行うという二重のマッサージ効果を持つ。
【０００４】
【発明の実施の形態】
図２及び図３を参照いただきたい。本発明の方向転換コントロールによるマッサージ装置の二方向駆動選択構造は、中間に鎖軸３２があり、後方に循環チェーンユニット４が接続されて、マッサージ装置５のマッサージパーツ５１を回転させる主動ギアユニット３、及び、上部に伝動ギア６１があって、その後方にある二方向ボルト７を動かして、マッサージ装置５を往復移動させる従動ギアユニット６から構成される。
【０００５】
主動ギアユニット３は、上部が動力源（例えばモーター）を受けて駆動する動力ギア３１がある。下部に伝動ギア盤３３があって、従動ギアユニット下部にあるそれに対応する受動ギア盤６２とかみ合うようになっている。こうして、循環チェーンユニット４及び二方向ボルト７の駆動動力源を形成して、動力源が正あるいは反回転する時、全て反対方向に定軸回転するという特長を持つ。
【０００６】
主動ギアユニット３の中間にある鎖軸３２及び従動ギアユニット６の上部にある伝動ギア６１は、それぞれ、両者を正、反方向させる単方向軸受け３２Ａ、６１Ａ（方向転換してかみ合う従動；別に方向転換して空転して、従動から離脱する；図２を参照いただきたい）が単一方向に回転するように設計してあることにより、それぞれ、その中心伝動軸３Ｒ，６Ｒに停滞するようになっている。
【０００７】
従動ギアユニット６が動かされて正回転する時、単方向軸受け３２Ａ、６１Ａが正、反方向に回転する配置条件によって、単方向軸受け３２Ａの順回転方向に応じて設定され、循環チェーンユニット４を動かし、マッサージ装置５のマッサージパーツ５１を動かして回転する。この時、二方向ボルト７は単方向軸受け６１Ａの逆回転方向設定によって空転状態を形成し、二方向ボルト７を停止させて、マッサージ装置５を定点に停滞させることで、マッサージパーツ５１が安定して、回転動作を行うことができる。
【０００８】
従動ギアユニット６が動かされて反転する時、同じように、単方向軸受け３２Ａ，６１Ａが両者を正、反方向させる単方向軸受けが単一方向に回転するように設計してあることにより、二方向ボルト７がマッサージ装置５を動かして移動させ始め、揉みの動作に入る。この時、循環チェーンユニット４は単方向軸受け３２Ａの逆回転方向設定によって空転状態を形成し、循環チェーンユニット４がマッサージ装置５のマッサージパーツ５１を停止させる。マッサージパーツ５１が移動する際に発生する磨耗、破損を軽減するので、使用年限が延長し、実用性に優れている。
【０００９】
図４を参照いただきたい。元々主動ギアユニット３下部の伝動ギアがかみ合うことで伝動を受けた従動ギアユニットが、主導性の主動ギアユニット８に変更している。上部動力ギア８１と主動ギアユニット３の上部動力ギア３１が離脱した状態を形成していて、中間に伝動ギアを設置する方式は必要がない。同時に、動力源（例えばモーターＭ）の動力伝道を受ける。したがって、下部の伝動ギア８２によって後方の二方向ボルト７を動かし、マッサージ装置５を動かして往復移動させる。したがって、循環チェーンユニット４と二方向ボルト７が、それぞれ、独立して回転する。主動ギアユニット８は単方向軸受け３２Ａが正、反方向が単方向軸受け８１Ａが単一方向回転するという設定がしてあることにより、中心伝動軸８Ｒに停滞させる。
【００１０】
主動ギアユニット６、８が動かされて正回転する時、鎖軸３２上部の単方向軸受け３２Ａ及び主動ギアユニット８上部の単方向軸受け８１Ａの逆回転方向によって、空転状態を形成し、二方向ボルト７を停止させ、マッサージ装置５を定点に停滞させ、マッサージパーツ５１が安定して回転し、マッサージ動作を行うことができる。そして、主動ギアユニット６、８が動かされて反回転する時、同じように単方向軸受け３２Ａ、８１Ａが正、反方向に回転する配置条件によって、単方向軸受け８１Ａの順回転方向に応じて設定され、二方向ボルト７がマッサージ装置５を動かし始め、揉みの動作を行う。この時、循環チェーンユニット４が単方向軸受け３２Ａの逆回転方向によって、空転状態を形成し、循環チェーンユニット４がマッサージ装置５のマッサージパーツ５１を停止させる。したがって、マッサージ装置５のマッサージパーツ５１は決まった位置で単独で回転、あるいは、移動式回転指圧マッサージと同様の二重のマッサージ効果が得られる。
上述のような本発明の実施条件の選択は、単方向軸受け３２Ａ，６１Ａが正、反方向に回転する配置条件と類似、同等の変更も本発明の範疇である。
【００１１】
【発明の効果】
本発明の方向転換コントロールによるマッサージ装置の二方向駆動選択構造は、同一主動力源が同時に主動ギアユニット及び従動ギアユニットに伝動し、主動ギアユニットの中間にある鎖軸及び従動ギアユニットの上部の伝動ギアが、それぞれ、両者を正、反方向させる単方向軸受けが単一方向に回転するように設計してあることにより、主動ギアユニットが駆動によって正回転あるいは反回転する時、全て循環チェーンユニットがマッサージ装置のパーツを動かして回転動作あるいは空転をする。そして、この時二方向ボルトが空転することで、マッサージ装置が定点で停滞、あるいは、二方向ボルトを動かしてマッサージ装置を往復移動させる。このように、駆動源が回転する簡単な設定あるいは選択によって、マッサージ装置のパーツをコントロールして、決まった位置で単独に駆動回転、作動するといった理想的な駆動効果が得られるという特長を持つ。
本発明の方向転換コントロールによるマッサージ装置の二方向駆動選択構造は、主動ギアユニットと従動ギアユニットのかみ合わせを運用して伝動し、循環チェーンユニットと二方向ボルトの鎖軸及び伝動ギアに伝動し、それぞれが両者を正、反方向させる単方向軸受けが単一方向に回転するように設計してあることにより、マッサージ装置が決まった位置に移動した後、さらに、マッサージパーツがマッサージ動作を始めるように切り替わり、マッサージパーツが均衡に回転し、構造が簡単で、故障しにくいので実用性に優れるという特長を持つ方向転換コントロールによるマッサージ装置の二方向駆動選択構造。
【図面の簡単な説明】
【図１】前案の構造見取り図である。
【図２】本発明の実施例の立体図（Ａ）、主動ギアユニットの立体分解説明図（Ｂ）および  従動ギアユニットの立体分解説明図（Ｃ）である。
【図３】本発明の構造の、組み立て実施例図（Ａ）および（Ａ）を側面から見た図（Ｂ）である。
【図４】本発明のもう一つの実施例の構造の、組み立て実施例図（Ａ）および（Ａ）を側面から見た図（Ｂ）である。
【符号の説明】
２１      主動ギア盤              ２２      従動ギア盤
２３      二方向ボルト            ２４      マッサージ装置
２４１    マッサージパーツ        ２５      循環チェーン装置
２６      クラッチ構造            Ｍ        モーター
３        主動ギアユニット        ３１      動力ギア
３２Ａ    単方向軸受け            ３３      伝動ギア盤
３Ｒ      中心伝動軸              ４        循環チェーンユニット
５        マッサージ装置          ５１      マッサージパーツ
６        従動ギアユニット        ６１      伝動ギア
６１Ａ    単方向軸受け            ６２      受動ギア盤
６Ｒ      中心伝動軸              ７        二方向ボルト
８        主動ギアユニット        ８１      動力ギア
８２      伝動ギア                ８１Ａ    単方向軸受け
８Ｒ      中心伝動軸              Ｍ        モーター
【図１】
2005000184.tif 000003
【図２】
2005000184.tif 000004
【図３】
2005000184.tif 000005
【図４】
2005000184.tif 000006
【手続補正書】
【提出日】平成15年6月11日(2003.6.11)
【手続補正１】
【補正対象書類名】図面
【補正対象項目名】全図
【補正方法】変更
【補正の内容】
【図１】
2005000184.tif 000007
【図２】
2005000184.tif 000008
【図３】
2005000184.tif 000009
【図４】
2005000184.tif 000010